(57)【要約】【課題】枕元などに置いて、メガネなどの小物を収容できるとともに、書籍を開いた状態で置いておくことができる小物入れを提供すること。【解決手段】平面視が矩形状の底面部１０と、底面部１０の４辺から立上がる側壁部とを有し、側壁部１１，１２は、底面部１０の対向する２辺から立上がり、上部が水平状に形成された矩形側壁の前後側壁部１１と、底面部１０の他の対向する２辺から立上がり、上部の中央部分が上方に尖った山形側壁の左右側壁部１２とを有している。【選択図】  図１
0003189598.tif 000002
【実用新案登録請求の範囲】
【請求項１】
平面視が矩形状の底面部と、
前記底面部の４辺から立上がる側壁部と、を備え、
前記側壁部は、前記底面部の対向する２辺から立上がり、上部が水平状に形成された矩形側壁の前後側壁部と、前記底面部の他の対向する２辺から立上がり、上部の中央部分が上方に尖った山形側壁の左右側壁部と、を有していることを特徴とする小物入れ。
【請求項２】
前記前後側壁部と前記左右側壁部とは、前記底面部と同一面に展開可能に構成され、
前記前後側壁部と左右側壁部とは、該前後側壁部と左右側壁部とを立上げて連結する連結具を有している請求項１に記載の小物入れ。
【請求項３】
前記連結具は、凸部材と凹部材とを有するホックで構成されている請求項２に記載の小物入れ。
【請求項４】
前記底面部及び側壁部は布材で形成され、
前記前後側壁部及び左右側壁部は、２重構造の布材で形成され、内部に型材を有している請求項１〜３のいずれか１項に記載の小物入れ。
【考案の詳細な説明】
【技術分野】
【０００１】
本考案は、寝室やリビングなどに置いて、書籍を所定ページを開いた状態で保持できる小物入れに関する。
【背景技術】
【０００２】
従来、メガネなどの小物を小物入れに入れておく場合がある。例えば、寝室で書籍（文庫本、単行本、雑誌など、種々の書籍を含む）を読む場合など、書籍の読みかけの頁にしおり等を挟んで枕元に置き、メガネを小物入れに入れて寝ることがある。また、しおりが無い場合には、書籍の読みかけの頁を開いた状態で枕元に置いて寝る場合もある。
【０００３】
しかし、上記したように、枕元に読みかけの書籍を置いて寝た場合、起きたときに踏むおそれがあり、また、読みかけの書籍を開いて枕元に置いて寝ると、枕元が散らかった状態となり片付かない。そのため、枕元に小物入れを置き、その小物入れにメガネや書籍を入れて寝る人もいる。
【０００４】
この種の先行技術として、例えば、ベッドの手摺り等に掛け、メガネや雑誌を入れておく小物入れがある（例えば、特許文献１参照）。
【先行技術文献】
【特許文献】
【０００５】
【特許文献１】特開平１０−２９５４２５号公報
【考案の概要】
【考案が解決しようとする課題】
【０００６】
しかしながら、上記先行技術の場合、ベッドのように手摺りがある場合は掛けて使用できるが、布団のような場合には枕元に広げて置くことになり、枕元が片付かない。また、旅行に行って布団で寝る場合など、読みかけの書籍を開いた状態で置いておきたい場合もあるが、枕元に開いた状態の書籍を置いて寝ると枕元が散らかった状態となる。
【０００７】
そこで、本考案は、枕元などに置いて、メガネなどの小物を収容できるとともに、書籍を開いた状態で置いておくことができる小物入れを提供することを目的とする。
【課題を解決するための手段】
【０００８】
上記目的を達成するために、本考案は、平面視が矩形状の底面部と、前記底面部の４辺から立上がる側壁部と、を備え、前記側壁部は、前記底面部の対向する２辺から立上がり、上部が水平状に形成された矩形側壁の前後側壁部と、前記底面部の他の対向する２辺から立上がり、上部の中央部分が上方に尖った山形側壁の左右側壁部と、を有している。
【０００９】
この構成により、底面部と、この底面部の４辺から立上がった側壁部とによって立体形状の小物入れを形成することができ、中にメガネなどの小物を収容できる小物入れとして使用することができる。しかも、山形に尖った左右側壁部により、書籍を所定頁で開いたままで置いておくことができる。さらに、開いた状態で山形側壁の左右側壁部上に置いた書籍により、小物入れと書籍とによって屋根のある住宅のような形態になるので、装飾的な効果もある。このように、就寝前の読書のときに、枕元に置いておくと重宝する小物入れを構成することができる。
【００１０】
また、前記前後側壁部と前記左右側壁部とは、前記底面部と同一面に展開可能に構成され、前記前後側壁部と左右側壁部とは、該前後側壁部と左右側壁部とを立上げて連結する連結具を有していてもよい。このように構成すれば、底面部と側壁部とが同一面となるように平面展開することが可能となり、平面展開した状態または折り畳んだ状態とすれば、郵送しやすく、また鞄などに入れて携帯しやすい。そして、前後側壁部と左右側壁部とを立上げて連結具で連結すれば、容易に小物入れを組立てることができる。
【００１１】
また、前記連結具は、凸部材と凹部材とを有するホックで構成されていてもよい。このように構成すれば、着脱が容易なホックにより、必要に応じて展開した状態と組立てた状態とに変化させることが容易にできる。
【００１２】
また、前記底面部及び側壁部は布材で形成され、前記前後側壁部及び左右側壁部は、２重構造の布材で形成され、内部に型材を有していてもよい。このように構成すれば、柔軟な布材で形成された軽量の小物入れを構成することができる。また、組立てた状態では、側壁部の型材で立体形状を保つことができ、上部に置いた書籍を安定して保持することができる。
【考案の効果】
【００１３】
本考案によれば、枕元などに置いて、メガネなどの小物を収容できるとともに、書籍を開いた状態で置いておくことができる小物入れを提供することが可能となる。
【図面の簡単な説明】
【００１４】
【図１】図１は本考案の一実施形態に係る小物入れを示す斜視図である。
【図２】図２は図１に示す小物入れを展開した状態を示す斜視図である。
【図３】図３は図１に示す小物入れを展開した状態の側面図である。
【図４】図４は図２に示す展開した状態から組立て途中の小物入れの斜視図である。
【図５】図５は図１に示す小物入れの前後側壁部と左右側壁部とを連結具で連結する状態を示す拡大斜視図である。
【図６】図６は図１に示す小物入れの使用状態を示す側面図である。
【図７】図７は図１に示す小物入れの使用状態を示す正面図である。
【考案を実施するための形態】
【００１５】
以下、本考案の実施形態を図面に基づいて説明する。以下の実施形態では、平面状に展開できる一実施形態を説明する。
【００１６】
図１に示すように、この実施形態の小物入れ１は、平面視が矩形状の底面部１０と、その底面部１０の４辺から立上がる側壁部１１，１２とを有している。この側壁部１１，１２は、底面部１０の対向する２辺から立上がり、上部が水平状に形成された矩形側壁の前後側壁部１１と、底面部１０の他の対向する２辺から立上がり、上部の中央部分が上方に尖った山形側壁の左右側壁部１２とを有している。
【００１７】
また、この実施形態の小物入れ１は、上記矩形側壁の前後側壁部１１の一方に窓部１５が設けられている。この実施形態の窓部１５は、開口した窓部１５としているが、例えば、模様として描かれた窓部や、半透明の窓部などとしてもよい。
【００１８】
この小物入れ１は、布材、樹脂材及び段ボール材など、図示するような形態が形成できる材料が用いられる。この実施形態では、樹脂繊維の布材によって形成され、側壁部１１，１２は２重構造となっており、内部に薄い樹脂製の型材が入れられている。型材を入れることで、後述するように組立てた状態で書籍を安定して保持できるようにしている。
【００１９】
なお、小物入れ１を段ボール材等で形成する場合も、後述するように組立てた状態で書籍を安定して保持できる強度を持たせればよい。
【００２０】
図２は、上記小物入れ１を展開した状態を示しており、展開して内側を上向きにした状態の斜視図である。図示するように、この実施形態の小物入れ１は、平面状に展開することが可能なように構成されている。底面部１０の４辺には側壁部１１，１２が設けられている。そして、この実施形態では、これら側壁部１１，１２の縦辺部分が角部１３によって接続されている。角部１３は、側壁部１１，１２と同じ高さで形成され、中央部分を縦方向に折曲げることが容易にできる柔軟な布材が用いられている。図示する細い実線で示す横線ａは、底面部１０の周囲と側壁部１１，１２との間の折曲げ線（谷折り）である。図示する一点鎖線で示す縦線ｂは、側壁部１１，１２の角になる折曲げ線（谷折り）である。図示する角部１３に二点鎖線で示す斜め線ｃは、角部１３の折曲げ線（山折り）である。各折曲げ線の曲げ方は後述する。
【００２１】
そして、上記角部１３の側壁部１１，１２と近接した位置の外側（下側）に連結具２０が設けられている。この実施形態では、連結具２０としてホック２０が用いられている。ホック２０は、凸部材２１と凹部材２２とでセットになっており、各角部１３の側壁部１１，１２に近接する上部に設けられている。連結具２０をホック２０とすることで、必要に応じて展開した状態と組立てた状態とに変化させる連結が容易にできる。
【００２２】
図３に示すように、展開させた小物入れ１によれば、上記ホック２０の部分以外を平面状に形成することができる。従って、旅行などに持ち歩く場合には、平面状に展開して鞄の中に入れて容易に運ぶことができる。また、必要に応じて、底面部１０の周囲の横線ａで折曲げて小さく畳むこともできる。
【００２３】
図４に示すように、上記図２に示すように展開した状態の小物入れ１は、側壁部１１，１２を上向きに折曲げながら角部１３を内向きに折曲げて上端のホック２０を止めれば、立体的な屋根のない家の形状をした小物入れ１を容易に組立てることができる。
【００２４】
図５は小物入れ１の前後側壁部１１と左右側壁部１２とをホック２０で連結する状態を示した斜視図である。図示するように、角部１３を斜め線ｃに沿って内向きに折曲げ、ホック２０の一方である凸部材２１を他方の凹部材２２に挿入して固定するようになっている。この連結具２０は一例であり、連結具２０は他の構成としてもよい。
【００２５】
図６，７は、上記図１に示す小物入れの使用状態を示す図面である。図６は、上記小物入れ１の上部に、書籍３０の読みかけの頁を開いた状態で置いた図である。例えば、夜に小説を途中まで読んで寝る場合、小物入れ１の中に、メガネＭや携帯電話Ｔなどを入れて、上部に読みかけの頁を開いた小説を置いて寝ることができる。
【００２６】
このように、小物入れ１の上部に読みかけの書籍３０を開いた状態で置くことで、その書籍３０が屋根のようになり、装飾的な効果を奏することができる。しかも、翌朝、小物入れ１から書籍３０を持上げれば読みかけの頁を開いた状態で持つことができ、迅速に続きを読むことができる。
【００２７】
なお、小物入れ１の上部には、読みかけの書籍３０の他、日記帳、手帳、メモ用紙、卓上サイズのカレンダーなど、側壁部１１，１２の上部に置いておける印刷物などを置いて活用してもよい。
【００２８】
また、図７に示すように、前後側壁部１１（左右側壁部１２でもよい）に窓部１５を設けておけば、小物入れ１の上部に置かれた書籍３０で家のような形態となった状態で、内部の小物の状態を確認することができる。例えば、携帯電話Ｔを入れている場合、その着信を目視で確認することができる。
【００２９】
さらに、上記実施形態の小物入れ１において、例えば、表裏の色を異なる色とし、４辺の側壁部１１，１２を逆向きに折曲げても小物入れが形成できるようにしてもよい。このようにすれば、異なる色の小物入れに形成できるリバーシブル構成とすることができる。
【００３０】
なお、上記実施形態の小物入れ１は、平面状に展開できる例で、展開した状態から４辺の側壁部１１，１２を底面部１０に向けて折曲げる例を説明したが、折曲げ方の異なる物や、屋根の無い状態の立体的な小屋状に組立てられた物であってもよく、小物入れ１の形態は上記実施形態に限定されるものではない。
【００３１】
また、小物入れ１の大きさは、小説、単行本、雑誌など、書籍３０に合せた大きさで製作することが可能であり、深さも異なるものを製作することは可能であり、小物入れ１の大きさなどは上記実施形態に限定されるものではない。
【００３２】
さらに、上記実施形態は一例を示しており、本考案の要旨を損なわない範囲での種々の変更は可能であり、本考案は上記実施形態に限定されるものではない。
【産業上の利用可能性】
【００３３】
本考案に係る小物入れは、枕元に読みかけの書籍を開いた状態で置いておきたい場合や、旅行などに持って行って枕元に書籍や小物を置いておきたい場合などに利用できる。
【符号の説明】
【００３４】
１  小物入れ
１０  底面部
１１  側壁部（矩形側壁）
１２  側壁部（山形側壁）
１３  角部
１５  窓部
２０  連結具
２０  ホック
２１  凸部材
２２  凹部材
３０  書籍
ａ  横線
ｂ  縦線
ｃ  斜め線
【図１】
0003189598.tif 000003
【図２】
0003189598.tif 000004
【図３】
0003189598.tif 000005
【図４】
0003189598.tif 000006
【図５】
0003189598.tif 000007
【図６】
0003189598.tif 000008
【図７】
0003189598.tif 000009